(57)【要約】【課題】コンクリート製品を確実に連結することができるコンクリート製品の連結具を提供する。【解決手段】コンクリート製品１２，１３の所定位置に連結ブッシュ１１を埋設する。連結ブッシュ１１の内周面に抜け止め用爪１１ｃを一体に形成する。連結ブッシュ１１の内部に挿入された連結ピン１４の先端部に前記抜け止め用爪１１ｃを係止する爪係止凹部１４ｇを形成する。抜け止め用爪１１ｃの先端面と頭部１４ｆの内側面との間にギャップＧを形成する。このギャップＧによって連結ブッシュ１１の埋設位置の寸法誤差や連結ブッシュ１１及び連結ピン１４の製造上の寸法誤差を吸収して連結ブッシュ１１に対して連結ピン１４を確実に連結することができる。【選択図】      図１
2005068677.tif 000002
【特許請求の範囲】
【請求項１】
コンクリート製品の連結面の所定位置に埋設固定される一対の連結ブッシュと、両連結ブッシュの内部に設けられた弾性変形可能な抜け止め用爪又は爪係止凹部に係合される一対の爪係止凹部又は弾性変形可能な抜け止め用爪を有する連結ピンとにより構成されたコンクリート製品の連結具において、前記両連結ブッシュに前記連結ピンを連結した状態で、前記抜け止め用爪の先端面と、爪係止凹部の爪係止面との間に若干のギャップが形成されるようにしたコンクリート製品の連結具。
【請求項２】
請求項１において、前記連結ピンの中央部には、前記両連結ブッシュに連結ピンを連結した状態で、両連結ブッシュの両開口端面の間に露出部が形成されるようにしたコンクリート製品の連結具。
【請求項３】
請求項２において、前記露出部の両端部には前記両連結ブッシュの両開口端面の内周エッジ部に対応してテーパ状の段差部が形成され、前記爪係止凹部に抜け止め用爪を係止する行程において前記段差部が前記内周エッジ部に弾性変形して押圧されるように構成されているコンクリート製品の連結具。
【請求項４】
請求項２又は３において、前記連結ピンは中央部に位置する大径部と、この大径部の両端部に形成された一対の段差部と、両段差部の先端にそれぞれ一体に形成された一対の小径部と、両小径部の先端にそれぞれ一体形成された一対のテーパ部と、このテーパ部の先端に一体形成された一対の頭部と、前記テーパ部及び頭部によって形成された一対の爪係止凹部とによって構成されているコンクリート製品の連結具。
【請求項５】
請求項１〜４のいずれか一項において、前記連結ピンの先端部には、爪係止凹部を形成するための頭部を有するボルトが取り外し可能に螺合されているコンクリート製品の連結具。
【請求項６】
請求項１〜５のいずれか一項において、前記連結ブッシュの内周面と、連結ピンの外周面とのクリアランスは、０．０ｍｍ〜２．０ｍｍに設定されているコンクリート製品の連結具。
【発明の詳細な説明】
【０００１】
【発明の属する技術分野】
本発明は、例えば側溝用ブロック、擁壁用ブロック等のコンクリート製品を連結するための連結具に関するものである。
【０００２】
【従来の技術】
大重量の側溝用ブロックを敷きモルタル上に順次直列に設置する場合、各ブロックの水平位置や垂直位置を合わせる作業は、クレーンを用いて各ブロックの位置の微調整を行わなければならず、ブロック間の連結面が密着するように寄せる作業も熟練を要する。
【０００３】
又、従来のコンクリート製品の連結構造として、鉄製の板をボルトと、ナットで締結するものもあるが、特にコンクリート製品を埋設する場合、土中作業になり連結作業が非常に煩わしいという問題がある。
【０００４】
上記従来の問題点を解消するため、特許文献１に示されるコンクリート製品の連結構造が提案された。この連結構造は図１５に示すように構成されている。コンクリート製品１２，１３の連結面に、抜け止め用爪１ａを内部に設けた連結ブッシュ１を埋設する。この連結ブッシュ１に嵌合される連結ピン２の両側に、前記抜け止め用爪１ｃに係合される頭部２ａと小径部２ｂとからなる爪係止凹部２ｃが形成されている。
【０００５】
【特許文献１】
特開平１０−３１１０９８号公報
【０００６】
【発明が解決しようとする課題】
ところが、上記従来のコンクリート製品１２，１３の連結構造は、連結ピン２の爪係止凹部２ｃに連結ブッシュ１の抜け止め用爪１ａがぴったり係止される構成をとっていたので、次のような問題が生じた。すなわち、コンクリート製品１２，１３に対する連結ブッシュ１の埋設位置や連結ブッシュ１及び連結ピン２の製造上の寸法誤差あるいはコンクリート製品１２，１３の連結面の精度等によって、爪係止凹部２ｃに抜け止め用爪１ａが係止され無かったり、不完全な係止状態になったりするという問題あった。
【０００７】
本発明は、上記従来の技術に存する問題点を解消して、コンクリート製品を確実に連結することができるコンクリート製品の連結具を提供することにある。
【０００８】
【課題を解決するための手段】
上記問題点を解決するために、請求項１に記載の発明は、コンクリート製品の連結面の所定位置に埋設固定される一対の連結ブッシュと、両連結ブッシュの内部に設けられた弾性変形可能な抜け止め用爪又は爪係止凹部に係合される一対の爪係止凹部又は弾性変形可能な抜け止め用爪を有する連結ピンとにより構成されたコンクリート製品の連結具において、前記両連結ブッシュに前記連結ピンを連結した状態で、前記抜け止め用爪の先端面と、爪係止凹部の爪係止面との間に若干のギャップが形成されるようにしたことを要旨とする。
【０００９】
請求項２に記載の発明は、請求項１において、前記連結ピンの中央部には、前記両連結ブッシュに連結ピンを連結した状態で、両連結ブッシュの両開口端面の間に露出部が形成されるようにしたことを要旨とする。
【００１０】
請求項３に記載の発明は、請求項２において、前記露出部の両端部には前記両連結ブッシュの両開口端面の内周エッジ部に対応してテーパ状の段差部が形成され、前記爪係止凹部に抜け止め用爪を係止する行程において前記段差部が前記内周エッジ部に弾性変形して押圧されるように構成されていることを要旨とする。
【００１１】
請求項４に記載の発明は、請求項２又は３において、前記連結ピンは中央部に位置する大径部と、この大径部の両端部に形成された一対の段差部と、両段差部の先端にそれぞれ一体に形成された一対の小径部と、両小径部の先端にそれぞれ一体形成された一対のテーパ部と、このテーパ部の先端に一体形成された一対の頭部と、前記テーパ部及び頭部によって形成された一対の爪係止凹部とによって構成されていることを要旨とする。
【００１２】
請求項５に記載の発明は、請求項１〜４のいずれか一項において、前記連結ピンの先端部には、爪係止凹部を形成するための頭部を有するボルトが取り外し可能に螺合されていることを要旨とする。
【００１３】
請求項６に記載の発明は、請求項１〜５のいずれか一項において、前記連結ブッシュの内周面と、連結ピンの外周面とのクリアランスは、０．０ｍｍ〜２．０ｍｍに設定されていることを要旨とする。
【００１４】
【発明の実施の形態】
以下、本発明を具体化したコンクリート製品の連結具の一実施形態を図１〜図１１に従って説明する。
【００１５】
連結具を構成する二個の連結ブッシュ１１，１１は、互いに連結されたコンクリート製品１２，１３の連結面１２ａ，１３ａから所定の深さの位置に埋設固定されている。この連結ブッシュ１１，１１は図２〜図４に示すように形成されている。図２に示すように連結ブッシュ１１は、円筒状をなす小径部１１ａと、この小径部１１ａの一端部に一体に形成された円筒状をなす大径部１１ｂと、前記小径部１１ａ及び大径部１１ｂの内周面の境界部に対し大径部１１ｂの開口部に向かって一体に突出形成された複数の抜け止め用爪１１ｃと、前記小径部１１ａ及び大径部１１ｂの境界部の外周面に一体に形成された複数の補強リブ１１ｄとによって構成されている。
【００１６】
連結具を構成する連結ピン１４は、図５に示すように構成されている。連結ピン１４の中央部には露出部としての大径部１４ａが形成され、この大径部１４ａの両端部には該大径部１４ａから離れるほど小径となる急勾配のテーパ状の段差部１４ｂ，１４ｂが一体に形成されている。前記両段差部１４ｂ，１４ｂの先端部には前記大径部１４ａの直径寸法よりも小径の小径部１４ｃ，１４ｃが一体に形成されている。前記小径部１４ｃ，１４ｃの先端部には小径部１４ｃ，１４ｃから離れるほど小径となる緩やかな勾配のテーパ部１４ｄ，１４ｄが一体に形成されている。このテーパ部１４ｄ，１４ｄの先端部には小径部１４ｅ，１４ｅが一体に形成され、この小径部１４ｅ，１４ｅの端部には頭部１４ｆ，１４ｆが一体に形成されている。この実施形態では、前記テーパ部１４ｄ，１４ｄの外周面、小径部１４ｅ，１４ｅの外周面及び頭部１４ｆ，１４ｆの内側の係止面によって前記連結ブッシュ１１に形成された抜け止め用爪１１ｃを係止する爪係止凹部１４ｇ，１４ｇが形成されている。
【００１７】
図１に示すように、前記連結ブッシュ１１の大径部１１ｂの内端側の外周面には、有底横円筒状をなすキャップ１５が接着剤を介して嵌合固定されている。
前記連結ブッシュ１１，１１の埋設位置は、図１に示すようにコンクリート製品１２，１３の連結面１２ａ，１３ａから所定深さの位置に埋設固定されている。連結ブッシュ１１の小径部１１ａの先端開口部と、連結面１２ａ，１３ａとの間には、前記連結ピン１４を前記連結ブッシュ１１の内部に案内するためのテーパ状をなす案内穴１２ｂ，１３ｂが形成されている。案内穴１２ｂ，１３ｂはコンクリート製品１２，１３の内側ほど小径となるようにテーパ状に形成されている。コンクリート製品１２，１３が前記連結ピン１４によって連結された状態においては、連結ブッシュ１１の抜け止め用爪１１ｃの先端面と、連結ピン１４の頭部１４ｆとの間に若干のギャップＧが形成されるように連結ブッシュ１１の埋設位置、連結ブッシュ１１及び連結ピン１４の形状及び寸法が設定されている。この実施形態では、前記ギャップＧを０．５〜１．５ｍｍの範囲内に設定するようにしている。例えばギャップＧを１．０ｍｍにするのが望ましい。又、連結ブッシュ１１の小径部１１ａの先端の内周エッジ部１１ｆに対して連結ピン１４の段差部１４ｂが弾性変形して押圧されるように各部の寸法が設定されている。
【００１８】
前記連結ブッシュ１１の小径部１１ａの内周面と、連結ピン１４の小径部１４ｃの外周面とのクリアランスＣは、０．０〜２．０ｍｍの範囲に設定されている。望ましい範囲は、０．１〜０．５ｍｍである。
【００１９】
次に、前記連結ピン１４及びキャップ１５をコンクリート製品１２，１３の所定位置に埋設する際に用いる治具及びその治具を用いた連結ブッシュ１１及びキャップ１５の埋設方法について説明する。
【００２０】
図７は前記コンクリート製品１２，１３の案内穴１２ｂ，１３ｂを成型するための成型具２１の側面図である。この成型具２１はテーパ部２１ａと、このテーパ部２１ａの一端部に一体に形成され、前記連結ブッシュ１１の小径部１１ａを取り付けるための円柱状をなす取付部２１ｂと、テーパ部２１ａ、取付部２１ｂの中心部に貫通形成されたボルトの挿通孔２１ｃとによって構成されている。
【００２１】
前記成型具２１は図８に示すように前記コンクリート製品１２，１３を成型するコンクリート型枠２２の所定位置に前記挿通孔２１ｃから前記コンクリート型枠２２を貫通して外部に突出されたボルト２３の外端部にナット２４を螺合することにより締め付け固定される。
【００２２】
図９に示すように、コンクリート型枠２２に取り付けられた成型具２１の取付部２１ｂに対し連結ブッシュ１１の小径部１１ａを嵌合し、コンクリート型枠２２の内部にコンクリートを流し込んで、コンクリート製品１３（１２）を成型する。成型動作が終了した後にコンクリート製品１３（１２）から成型具２１を取り付けたコンクリート型枠２２を分離して、連結ブッシュ１１を埋設したコンクリート製品１３の製造作業が終了する。
【００２３】
次に、前記連結ピン１４を用いて前記コンクリート製品１２，１３を連結する作業について説明する。
図１０に示すように基礎コンクリート３１の上面に施工された敷きモルタル３２の連結部にライナープレート３３を敷き、図面左側のコンクリート製品１２をクレーン等で設置する。次に、前記コンクリート製品１２の連結ブッシュ１１に前記連結ピン１４の半分を打ち込む。その後、右側のコンクリート製品１３をクレーン等で吊り、左側のコンクリート製品１２の端面から突出している前記連結ピン１４に右側のコンクリート製品１３の連結ブッシュ１１がはまり込むように近づけ、モルタル３２上に置く。
【００２４】
前記連結ピン１４が連結ブッシュ１１に完全にはまりこむようにするために、この実施形態では、引き寄せ治具３４を用い、コンクリート製品１２，１３の側部に設けられた吊り具掛用の穴１２ｃ，１３ｃを利用して梃子の作用で引き寄せる。
【００２５】
上記実施形態のコンクリート製品の連結具によれば、以下のような効果を得ることができる。
（１）上記実施形態では、前記連結ブッシュ１１に連結ピン１４を挿入係止した状態で、抜け止め用爪１１ｃの先端面と頭部１４ｆの内側の爪係止面との間にギャップＧが形成されるようにした。このため、コンクリート製品１２，１３に対する連結ブッシュ１１の埋設位置の誤差、連結ブッシュ１１、連結ピン１４の製造上の寸法誤差を吸収して、爪係止凹部１４ｇに抜け止め用爪１１ｃを確実に係止してコンクリート製品１２，１３を確実に連結することができる。
【００２６】
（２）上記実施形態では、抜け止め用爪１１ｃの先端縁を頭部１４ｆが乗り越える直前から、小径部１１ａの先端の内周エッジ部１１ｆに連結ピン１４の段差部１４ｂが押圧されて、該内周エッジ部１１ｆ及び段差部１４ｂが弾性変形して圧縮されるようにした。このため、頭部１４ｆが抜け止め用爪１１ｃの先端縁を乗り越えて一旦ギャップＧが形成された後に、前記小径部１１ａの先端の内周エッジ部１１ｆ及び段差部１４ｂの弾性復元力により前記頭部１４ｆが抜け止め用爪１１ｃに向かって移動され、ギャップＧが零となる。従って、前記コンクリート製品１２，１３の連結面１２ａ，１３ａを、互いに密着した状態に保持することができる。
【００２７】
（３）上記実施形態では、前記連結ピン１４の中央部に大径部１４ａを形成したので、連結ブッシュ１１の小径部１１ａの先端面をコンクリート製品１２，１３の連結面１２ａ，１３ａから所定深さだけ離れた位置に埋設することができる。このため、連結面１２ａ，１３ａに案内穴１２ｂ，１３ｂを形成して、連結ブッシュ１１内への連結ピン１４の挿入作業を容易に行うことができる。
【００２８】
次に、この発明の別の実施形態を図１２に基づいて説明する。
この実施形態においては、コンクリート製品としてのＵ字溝ブロック１２Ａの上面に対し蓋体２５を連結するようにしたものである。前記連結ピン１４の上端面に一体に形成された頭部１４ｆに代えて、別体で形成された金属製のボルト２６を螺合している。このボルト２６は雄ネジ部２６ａと、頭部２６ｂとにより構成されている。雄ネジ部２６ａは、連結ピン１４の上端面に形成されたネジ穴１４ｉに螺合されている。前記頭部２６ｂには六角レンチの先端を係合可能な六角穴２６ｃが形成されている。
【００２９】
又、頭部２６ｂを覆うように大径部１１ｂに嵌合されたキャップ１５の上面は蓋体２５の上面に露出されている。そして、蓋体２５とＵ字溝ブロック１２Ａの連結状態を解除したいときに、前記キャップ１５の上面を破壊して頭部２６ｂの六角穴２６ｃに六角レンチの先端を係合してボルト２６を螺退方向に回動してボルト２６を連結ピン１４の上端部から取り外す。これによって、蓋体２５を上方へ引き上げることにより蓋体２５がＵ字溝ブロック１２Ａから分離される。
【００３０】
次に、この発明の別の実施形態を図１３に基づいて説明する。
この実施形態では、上記実施形態のボルト２６を用いるとともに、コンクリート製品１２，１３の外側面に前記キャップ１５を露出するための凹所１２ｄ，１３ｄが形成されている。そして、コンクリート製品１２，１３を分離したいときには、凹所１２ｄ，１３ｄから工具を用いてキャップ１５を破壊し、ボルト２６の六角穴２６ｃに六角レンチの先端を係合してボルト２６を螺退方向に回動して連結ピン１４の先端部からボルト２６を取り外すことによりコンクリート製品１２，１３を分離することができる。
【００３１】
なお、上記実施形態は以下のように変更してもよい。
図１４に示すように、前記ボルト２６の前記雄ネジ部２６ａと頭部２６ｂとの連結部を滑らかな円弧状部分２６ｄに形成してもよい。この場合には、雄ネジ部２６ａと頭部２６ｂの連結部への応力集中を緩和して、剛性を向上することができる。
【００３２】
○図示しないが、前記連結ピン１４の先端部外周面に抜け止め用爪１４ｈを形成するとともに、前記連結ブッシュ１１の内周面に前記抜け止め用爪１４ｈが係止される爪係止凹部１１ｅを形成してもよい。
【００３３】
○前記連結ピン１４の大径部１４ａを省略してもよい。又、段差部１４ｂを省略してもよい。
○この発明の対象となるコンクリート製品として、例えば管渠型側溝、バーチカル側溝、リボーン側溝、長尺鉄筋コンクリートＬ型、歩車道境界ブロック、横断暗渠、ボックスカルバート、Ｌ型擁壁、大型積みブロック、基礎ブロック、大型張りブロック、法枠ブロック、井桁ブロック、環境保全型積みブロック、組立マンホール、組立貯水槽等がある。
【００３４】
上述した実施形態から把握される請求項以外の技術的思想について以下に説明する。
（１）請求項１〜６のいずれか一項において、前記連結ブッシュの内端の外周面には別体で形成されたキャップが嵌合されているコンクリート製品の連結具。
【００３５】
（２）コンクリート製品の連結面の所定位置に埋設固定される一対の連結ブッシュと、両連結ブッシュの内部に設けられた弾性変形可能な抜け止め用爪又は爪係止凹部に係合される一対の爪係止凹部又は弾性変形可能な抜け止め用爪を有する連結ピンとにより構成されたコンクリート製品の連結具において、
前記連結ピンの先端部には、爪係止凹部を形成するための頭部を有するボルトが取り外し可能に螺合されているコンクリート製品の連結具。
【００３６】
【発明の効果】
本発明によれば、コンクリート製品を確実に連結することができる。
【図面の簡単な説明】
【図１】この発明を具体化したコンクリート製品の連結具の一実施形態を示す縦断面図。
【図２】連結ブッシュの縦断面図。
【図３】連結ブッシュの小径部側から見た左側面図。
【図４】連結ブッシュの大径部側から見た右側面図。
【図５】連結ピンの正面図。
【図６】キャップの断面図。
【図７】成型具の側面図。
【図８】成型具の取り付け状態を示す断面図。
【図９】成型具及び連結ブッシュの取付状態を示す断面図。
【図１０】コンクリート製品の連結動作を説明する縦断面図。
【図１１】コンクリート製品及び治具の側面図。
【図１２】この発明の別例を示す連結具の使用状態を示す縦断面図。
【図１３】この発明の別例を示す連結具の使用状態を示す縦断面図。
【図１４】連結ピンに螺合されたボルトを拡大して示す縦断面図。
【図１５】従来の連結具の縦断面図。
【符号の説明】Ｃ…クリアランス、Ｇ…ギャップ、１１…連結ブッシュ、１１ａ，１４ｃ，１４ｅ…小径部、１１ｂ…大径部、１１ｆ…内周エッジ部、１４ａ…露出部としての大径部、１１ｃ，１４ｈ…抜け止め用爪、１１ｅ，１４ｇ…爪係止凹部、１２，１３…コンクリート製品、１２ａ，１３ａ…連結面、１４…連結ピン、１４ｂ…段差部、１４ｄ，２１ａ…テーパ部、１４ｆ，２６ｂ…頭部、２６…ボルト。
【図１】
2005068677.tif 000003
【図２】
2005068677.tif 000004
【図３】
2005068677.tif 000005
【図４】
2005068677.tif 000006
【図５】
2005068677.tif 000007
【図６】
2005068677.tif 000008
【図７】
2005068677.tif 000009
【図８】
2005068677.tif 000010
【図９】
2005068677.tif 000011
【図１０】
2005068677.tif 000012
【図１１】
2005068677.tif 000013
【図１２】
2005068677.tif 000014
【図１３】
2005068677.tif 000015
【図１４】
2005068677.tif 000016
【図１５】
2005068677.tif 000017